(57)【要約】      （修正有）【課題】複数の面に設けられた発光チップを同時に発光させることで、均一な放射を可とする、発光ダイオードのパッケージ構造を提供する。【解決手段】本体であって矩形を呈する板材からなる第一導電支持体１と、第一導電支持体の上部に分散して設けられる複数のＬＥＤチップ３と、第一導電支持体の一方の外側に設けられる第二導電支持体１Ａと、第一導電支持体のもう一方の外側に設けられる第三導電支持体２と、該複数のＬＥＤチップの表面を被覆する複数の蛍光層と、光透過性を具える材質により構成する。さらに、該導電支持体、該複数のＬＥＤチップ、該複数の導電線、該複数の蛍光層の全てをモールドする。また、該第三導電支持体上方の矩形ブロック２１により、該複数の導電線で該複数のＬＥＤチップを直列接続し該第一導電支持体の両面に構成させた各直列構造同士を接続し、該第一導電支持体の両面の該複数のＬＥＤチップを同時に導電させ、複数の発光面により均一な光線の放射を達成する。【選択図】図３
0003158817.tif 000002
【実用新案登録請求の範囲】
【請求項１】
本体であって矩形を呈する板材からなる第一導電支持体と、
第一導電支持体の上部に分散して設けられる複数のＬＥＤチップと、
第一導電支持体の一方の外側に設けられる第二導電支持体と、
第一導電支持体のもう一方の外側に設けられる第三導電支持体と、
蛍光粉を含むフィルム層であって、該複数のＬＥＤチップの表面を被覆する複数の蛍光層と、
光透過性を具える材質によってなり、該導電支持体、該複数のＬＥＤチップ、該複数の導電線、該複数の蛍光層の全てをモールドするモールド部と、によって構成し、
該第三導電支持体上方の矩形ブロックにより、該複数の導電線で該複数のＬＥＤチップを直列接続し該第一導電支持体の両面に構成させた各直列構造同士がブリッジ接続され、該第一導電支持体の両面の該複数のＬＥＤチップを同時に導電させることができるようになり、複数の発光面により均一な光線の放射を達成することができるように構成することを特徴とする、複数の発光面をもつ発光ダイオードのパッケージ構造。
【請求項２】
該第一導電支持体と該第三導電支持体は、ブリッジ接続により拡張して三面以上の発光面を構成することができるとともに、それら複数の発光面を同時に導電させることができることを特徴とする、請求項１に記載の複数の発光面をもつ発光ダイオードのパッケージ構造。
【請求項３】
前記第三導電支持体はＣ型クリップ状や円形の棒状にすることができ、第一導電支持体の一方の側辺に絶縁して設置されることを特徴とする、請求項１に記載の複数の発光面をもつ発光ダイオードのパッケージ構造。
【考案の詳細な説明】
【技術分野】
【０００１】
本考案は発光ダイオードに関し、特にブリッジ接続によって拡張することで、複数の発光面をもつことができる発光ダイオードのパッケージ構造に関する。
【背景技術】
【０００２】
電子科学産業は２１世紀に欠かすことができない産業になっている。特に、世界的にエネルギー資源が日々不足していく中、近年の産業の外国への移転、中継貿易によるダンピング競争の激化、そして世界的な経済不況は、国内の企業に大きな打撃を与え、製品により競争力をもたせるために製品の省エネ技術を向上させることは不可欠となってきている。
【０００３】
現在、一般的な単一の発光ダイオードチップを用いたＬＥＤランプは発光源として各種電子製品に幅広く応用されている。例えば、携帯電話、ＰＤＡ、ＩＰＯＤ、ＧＰＳナビゲーター、ビデオカメラ、カメラ、液晶ディスプレイ、ノート型パソコン、交通信号灯、街灯等である。
【０００４】
従来の発光ダイオードは、図６に示すように、導電ピンの上方のカップ内にチップを設置し、光線を屈折させて前方に集光する構造になっている。よって、実際使用する際には単一のチップから放射する光線を一方向にしか集光できないという機能上の制限を受け、多面的に放射することができず、均一な光線の放射を達成することができない。このため、従来のＬＥＤランプ構造は多様な実用化に向けて改善の余地があるといえる。
【考案の概要】
【考案が解決しようとする課題】
【０００５】
本考案は、複数の面に設けられた発光チップをブリッジ接続することで同時に発光させることができ、均一な光線の放射を達成することができる、複数の発光面をもつ発光ダイオードのパッケージ構造を提供することを目的とする。
【０００６】
また、本考案は、チップから放射する光線の色を変化させることができる複数の発光面をもつ発光ダイオードのパッケージ構造を提供することにある。
【課題を解決するための手段】
【０００７】
そこで、この考案による複数の発光面をもつ発光ダイオードのパッケージ構造は、本体であって矩形を呈する板材からなる第一導電支持体と、、該第一導電支持体の上部に分散して設けられる複数のＬＥＤチップと、該第一導電支持体の一方の外側に設けられる第二導電支持体と、該第一導電支持体のもう一方の外側に設けられる第三導電支持体と、蛍光粉を含むフィルム層であって、該複数のＬＥＤチップの表面を被覆する複数の蛍光層と、光透過性を具える材質によってなり、該導電支持体、該複数のＬＥＤチップ、該複数の導電線、該複数の蛍光層の全てをモールドするモールド部とによって構成し、該第三導電支持体上方の矩形ブロックにより、該複数の導電線で該複数のＬＥＤチップを直列接続し該第一導電支持体の両面に構成させた各直列構造同士がブリッジ接続され、該第一導電支持体の両面の該複数のＬＥＤチップを同時に導電させることができるようになり、複数の発光面により均一な光線の放射を達成することができるように構成する。
【考案の効果】
【０００８】
この考案による発光ダイオードのパッケージ構造は、均一な光線の放射を達成することができるので、均一な照明を必要とする各種照明具に広く応用することができ、利便性が得られるとともに、ＬＥＤチップの光線の色を変化させ多様な用途に対応させることができるため、産業への応用に係る高い対応性と、広い多様性が得られるという効果を具える。
【図面の簡単な説明】
【０００９】
【図１】本考案による発光ダイオードの外観を示した斜視図である。
【図２】図１に開示する発光ダイオードの構造を示した分解図である。
【図３】本考案による発光ダイオードの構造を示した説明図である。
【図４】本考案におけるモールド部の内部構造を示した断面図である。
【図５】本考案による発光ダイオードが発光した状態を示した説明図である。
【図６】本考案の従来構造の説明図である。
【図７】実施例２における発光ダイオードの構造を示した分解図である。
【図８】実施例２における発光ダイオードの構造を示した説明図である。
【図９】実施例３における発光ダイオードの構造を示した分解図である。
【図１０】実施例３における発光ダイオードの構造を示した説明図である。
【図１１】実施例４における発光ダイオードの構造を示した分解図である。
【図１２】実施例４における発光ダイオードの構造を示した説明図である。
【図１３】実施例５における発光ダイオードの構造を示した分解図である。
【図１４】実施例５における発光ダイオードの構造を示した説明図である。
【図１５】実施例６における発光ダイオードの構造を示した分解図である。
【図１６】実施例６における発光ダイオードの構造を示した説明図である。
【実施例１】
【００１０】
図１から図５に示すように、本考案による複数の発光面をもつ発光ダイオードのパッケージ構造は、導電支持体１、１Ａ、２、複数のＬＥＤチップ３、複数の導電線５、複数の蛍光層６、及びモールド部７を含む。
【００１１】
前記導電支持体１は本体である第一導電支持体であり、矩形を呈する板材からなる。導電支持体１Ａは第二導電支持体であり、第一導電支持体１の外側に設置される。導電支持体２は第三導電支持体であり、第一導電支持体１のもう一方の外側に設置される。複数のＬＥＤチップ３は半導体素子である発光ダイオードチップであり、導電支持体１上部の表面に分散して固定される。複数の導電線５は導電性を有する線材であり、実施例においては、その両端はそれぞれのＬＥＤチップ３に電気的に接続して、複数のＬＥＤチップ３を直列に接続し、かつ直列の両端に位置する導電線５は、一端が導電支持体１Ａ、２にそれぞれ電気的に接続して直列接続を形成する。
【００１２】
複数の蛍光層６は蛍光粉を含むフィルム層であり、各チップ表面を被覆する。モールド部７は樹脂やシリカゲル等の光透過性を具える材質によってなり、導電支持体１、１Ａ、２、複数のＬＥＤチップ３、複数の導電線５、複数の蛍光層６の全てをモールドしてなる。以上が、本考案の主な構造の特徴である。
【００１３】
即ち、実施例における本考案の複数の発光面をもつ発光ダイオードのパッケージ構造は、図３から図５に示すように、第一導電支持体１上部の両面に複数のＬＥＤチップ３が均等に分散させて設けられ、前記複数のＬＥＤチップ３は導電線５で直列接続する。前記第一導電支持体１の一方の側辺には第二導電支持体１Ａが設置され、前記第二導電支持体１Ａは電極になり、複数のＬＥＤチップ３によってなる直列接続構造の両端に位置する導電線５の一端に電気的に接続する。また、前記第一導電支持体１のもう一方の側辺には第三導電支持体２が設置される。また、第三導電支持体２上方の矩形ブロック２１により、第一導電支持体１の両面に導電線５でＬＥＤチップ３を直列接続し構成された直列構造のもう一端同士がブリッジ接続され、第一導電支持体１の両面のＬＥＤチップ３を同時に導電させることができるようになる。前記矩形ブロック２１はブリッジ接続した後、モールド部７内にモールドされる。以上のようにして、単一のＬＥＤをブリッジ接続により拡張し、発光ダイオードのパッケージ構造に複数の発光面をもたせるとともに、それらの発光面を同時に発光させることができるため、均一な光線の放射を達成することができ、産業上の利用性が向上する。    
【００１４】
本考案の実施例において、前記各ＬＥＤチップ３の表面は蛍光層６によって被覆され、ＬＥＤチップから放射される光線の色を変化させることができる。
【実施例２】
【００１５】
図７及び図８に示すように、別の実施例における本考案の複数の発光面をもつ発光ダイオードのパッケージ構造は、第一導電支持体１上部のもう一方の側辺には連結孔１２が穿設され、対応する形状の第三導電支持体２を嵌入させる。その連結孔１２と第三導電支持体２の間には絶縁層Ａが設置される。該第三導電支持体２により、導電線５でＬＥＤチップ３を直列接続し第一導電支持体１の両面に構成させた直列構造のもう一端同士がブリッジ接続され、第一導電支持体１の両面のＬＥＤチップ３を同時に導電させることができるようになる。
【実施例３】
【００１６】
図９及び図１０に示すように、別の実施例における本考案の複数の発光面をもつ発光ダイオードのパッケージ構造は、第一導電支持体１上部のもう一方の側辺にはＣ型第三導電支持体２を挾設し、第一導電支持体１と第三導電支持体２の間にはそれに対応するＣ型絶縁層Ａを設置する。該第三導電支持体２により、導電線５でＬＥＤチップ３を直列接続し第一導電支持体１の両面に構成させた直列構造のもう一端同士がブリッジ接続され、第一導電支持体１の両面のＬＥＤチップ３を同時に導電させることができるようになる。  
【実施例４】
【００１７】
図１１及び図１２に示すように、別の実施例における本考案の複数の発光面をもつ発光ダイオードのパッケージ構造は、三角フレームＢ及び三角台座Ｃを用いることで、三組の第一導電支持体１を併せて三角形支持体を構成させることができる。その三角形支持体の各端には第二導電支持体１Ａ、第三導電支持体２、２Ａが嵌置される。該第三導電支持体により、導電線５でＬＥＤチップ３を直列接続し各基板の表面に構成させた各直列構造は、その隣同士がブリッジ接続され、三面を同時に導電させることができるようになる。
【実施例５】
【００１８】
図１３及び図１４に示すように、別の実施例における本考案の複数の発光面をもつ発光ダイオードのパッケージ構造は、四角フレームＢ及び四角台座Ｃを用いることで、四組の第一導電支持体１を併せて四角形支持体を構成させることができる。その四角形支持体の各端には第二導電支持体１Ａ、第三導電支持体２、２Ａ、２Ｂが嵌置される。該第三導電支持体により、導電線５でＬＥＤチップ３を直列接続し各基板の表面に構成させた各直列構造は、その隣同士がブリッジ接続され、四面を同時に導電させることができるようになる。
【実施例６】
【００１９】
図１５及び図１６に示すように、別の実施例における本考案の複数の発光面をもつ発光ダイオードのパッケージ構造は、六角フレームＢ及び六角台座Ｃを用いることで、六組の第一導電支持体１を併せて六角形支持体を構成させることができる。その六角形支持体の各端には第二導電支持体１Ａ、第三導電支持体２、２Ａ、２Ｂ、２Ｃ、２Ｄが嵌置される。該第三導電支持体により、導電線５でＬＥＤチップ３を直列接続し各基板の表面に構成させた各直列構造は、その隣同士がブリッジ接続され、六面を同時に導電させることができるようになる。
【符号の説明】
【００２０】
１、    １Ａ    、２、２Ａ、２Ｂ、２Ｃ、２Ｄ    導電支持体
３              ＬＥＤチップ
５              導電線
６              蛍光層
７              モールド部
１２                連結孔
２１                矩形ブロック
Ａ              絶縁層
Ｂ              フレーム
Ｃ              台座
【図１】
0003158817.tif 000003
【図２】
0003158817.tif 000004
【図３】
0003158817.tif 000005
【図４】
0003158817.tif 000006
【図５】
0003158817.tif 000007
【図６】
0003158817.tif 000008
【図７】
0003158817.tif 000009
【図８】
0003158817.tif 000010
【図９】
0003158817.tif 000011
【図１０】
0003158817.tif 000012
【図１１】
0003158817.tif 000013
【図１２】
0003158817.tif 000014
【図１３】
0003158817.tif 000015
【図１４】
0003158817.tif 000016
【図１５】
0003158817.tif 000017
【図１６】
0003158817.tif 000018
【手続補正書】
【提出日】平成22年2月16日(2010.2.16)
【手続補正１】
【補正対象書類名】実用新案登録請求の範囲
【補正対象項目名】請求項１
【補正方法】変更
【補正の内容】
【請求項１】
本体であって矩形を呈する板材からなる第一導電支持体と、
第一導電支持体の上部に分散して設けられる複数のＬＥＤチップと、
第一導電支持体の一方の外側に設けられる第二導電支持体と、
第一導電支持体のもう一方の外側に設けられる第三導電支持体と、
複数の導電線と、
蛍光粉を含むフィルム層であって、該複数のＬＥＤチップの表面を被覆する複数の蛍光層と、
光透過性を具える材質によってなり、該導電支持体、該複数のＬＥＤチップ、該複数の導電線、該複数の蛍光層の全てをモールドするモールド部と、によって構成し、
該第三導電支持体上方の矩形ブロックにより、該複数の導電線で該複数のＬＥＤチップを直列接続し該第一導電支持体の両面に構成させた各直列構造同士がブリッジ接続され、該第一導電支持体の両面の該複数のＬＥＤチップを同時に導電させることができるようになり、複数の発光面により均一な光線の放射を達成することができるように構成することを特徴とする、複数の発光面をもつ発光ダイオードのパッケージ構造。
【手続補正２】
【補正対象書類名】明細書
【補正対象項目名】０００７
【補正方法】変更
【補正の内容】
【０００７】
そこで、この考案による複数の発光面をもつ発光ダイオードのパッケージ構造は、本体であって矩形を呈する板材からなる第一導電支持体と、該第一導電支持体の上部に分散して設けられる複数のＬＥＤチップと、該第一導電支持体の一方の外側に設けられる第二導電支持体と、該第一導電支持体のもう一方の外側に設けられる第三導電支持体と、複数の導電線と、蛍光粉を含むフィルム層であって、該複数のＬＥＤチップの表面を被覆する複数の蛍光層と、光透過性を具える材質によってなり、該導電支持体、該複数のＬＥＤチップ、該複数の導電線、該複数の蛍光層の全てをモールドするモールド部とによって構成し、該第三導電支持体上方の矩形ブロックにより、該複数の導電線で該複数のＬＥＤチップを直列接続し該第一導電支持体の両面に構成させた各直列構造同士がブリッジ接続され、該第一導電支持体の両面の該複数のＬＥＤチップを同時に導電させることができるようになり、複数の発光面により均一な光線の放射を達成することができるように構成する。